(57)【特許請求の範囲】
【請求項１】
検出された端末の位置情報及び向き情報に応じたエリアを特定し、
特定した前記エリアの内、前記端末の移動状態に応じた範囲を特定し、
特定した前記範囲に含まれる何れかの位置情報に対応づけて登録されたオブジェクトデータを表示する、
処理をコンピュータが実行することを特徴とする表示制御方法。
【請求項２】
前記移動状態に応じた範囲は、前記端末から離間する方向における範囲である、
ことを特徴とする請求項１に記載の表示制御方法。
【請求項３】
前記移動状態が移動中である場合、前記範囲を、前記端末の移動方向に応じた範囲とする、請求項１又は２に記載の表示制御方法。
【請求項４】
前記範囲を、前記端末の移動方向の前方の範囲とする、請求項３に記載の表示制御方法。
【請求項５】
前記移動状態が静止中である場合、前記移動状態が移動中である場合よりも、前記範囲が広くなる制御を行う、ことを特徴とする請求項１乃至４の何れかに記載の表示制御方法。
【請求項６】
前記移動中の速度が速いほど、前記範囲が狭くなる制御を行う、ことを特徴とする請求項５に記載の表示制御方法。
【請求項７】
前記移動状態は、前記端末のユーザが利用する移動手段の種別である、ことを特徴とする請求項１乃至６の何れかに記載の表示制御方法。
【請求項８】
前記移動状態は、前記端末の速度である、ことを特徴とする請求項１乃至６の何れかに記載の表示制御方法。
【請求項９】
前記エリアは、前記検出された端末の有する撮像装置の撮像領域である、請求項１乃至８の何れか一項に記載の表示制御方法。
【請求項１０】
前記端末の移動状態に応じた範囲は、３次元空間である、請求項１乃至９の何れか一項に記載の表示制御方法。
【請求項１１】
検出された端末の位置情報及び向き情報に応じたエリアを特定し、
特定した前記エリアの内、前記端末の移動状態に応じた範囲を特定し、
特定した前記範囲に含まれる何れかの位置情報に対応づけて登録されたオブジェクトデータを表示する、
処理をコンピュータが実行することを特徴とする表示制御プログラム。
【請求項１２】
検出された位置情報及び向き情報に応じたエリアを特定する領域特定部と、
特定した前記エリアの内、移動状態に応じた範囲を特定する領域決定部と、
特定した前記範囲に含まれる何れかの位置情報に対応づけて登録されたオブジェクトデータを表示する表示処理部と、を有することを特徴とする情報処理端末。
【発明の詳細な説明】
【技術分野】
【０００１】
本発明は、表示制御方法、表示制御プログラム及び情報処理端末に関する。
【背景技術】
【０００２】
従来より、カメラ等の撮像装置により撮像された画像の一部にオブジェクトデータを重畳して表示させる拡張現実（Ａｕｇｍｅｎｔｅｄ  Ｒｅａｌｉｔｙ：ＡＲ）技術が知られている。
【０００３】
また、従来では、Ｇｌｏｂａｌ  Ｐｏｓｉｔｉｏｎｉｎｇ  Ｓｙｓｔｅｍ（ＧＰＳ，全地球測位網）等の所定の測位方式から情報処理端末の位置情報を取得し、情報処理端末が撮影した画像に、取得した位置情報と対応するオブジェクトデータ等を重畳表示することが知られている。
【先行技術文献】
【特許文献】
【０００４】
【特許文献１】特開２０１１−１２３８０７号公報
【発明の概要】
【発明が解決しようとする課題】
【０００５】
従来の技術では、位置情報と対応するオブジェクトデータが多数存在する場合、多くのオブジェクトが情報処理端末に表示され、視認性が低下する。また、例えば観光地等では、土地勘に乏しいユーザに対して、オブジェクトデータと対応付いた場所や、表示されたオブジェクトが示すものが何かを把握させることが困難である。
【０００６】
一つの側面では、端末の移動状態に応じたＡＲコンテンツの表示を行うことを目的としている。
【課題を解決するための手段】
【０００７】
一態様によれば、検出された端末の位置情報及び向き情報に応じたエリアを特定し、特定した前記エリアの内、前記端末の移動状態に応じた範囲を特定し、特定した前記範囲に含まれる何れかの位置情報に対応づけて登録されたオブジェクトデータを表示する、処理をコンピュータが実行する。
【０００８】
上記各手順は、上記各手順を実現する機能部、各手順をコンピュータに実行させるプログラム、プログラムを記憶したコンピュータ読み取り可能な記憶媒体とすることもできる。
【発明の効果】
【０００９】
端末の移動状態に応じたＡＲコンテンツの表示を行うことができる。
【図面の簡単な説明】
【００１０】
【図１】オブジェクトの表示を説明する図である。
【図２】取得対象領域について説明する図である。
【図３】取得対象領域の変化を説明する図である。
【図４】第一の実施形態の表示制御システムの一例を示す図である。
【図５】第一の実施形態のコンテンツデータベースの一例を示す図である。
【図６】情報処理端末のハードウェア構成の一例を示す図である。
【図７】第一の実施形態の情報処理端末の機能を説明する図である。
【図８】領域決定テーブルの一例を示す図である。
【図９】第一の実施形態の情報処理端末の動作を説明するフローチャートである。
【図１０】第一の実施形態の取得対象領域決定部の処理を説明するフローチャートである。
【図１１】第一の実施形態の表示制御システムの一例を示す図である。
【図１２】車用コンテンツデータベースの一例を示す図である。
【図１３】電車用コンテンツデータベースの一例を示す図である。
【図１４】バス用コンテンツデータベースの一例を示す図である。
【図１５】自転車用コンテンツデータベースの一例を示す図である。
【図１６】徒歩用コンテンツデータベースの一例を示す図である。
【図１７】第二の実施形態の情報処理端末の機能を説明する図である。
【図１８】第二の実施形態の移動手段判別テーブルの一例を示す図である。
【図１９】第二の実施形態の情報処理端末の動作を説明するフローチャートである。
【図２０】第三の実施形態の表示制御システムの一例を示す図である。
【図２１】第三の実施形態の情報処理端末の機能を説明する図である。
【図２２】第三の実施形態の移動手段判別テーブルの一例を示す図である。
【図２３】第三の実施形態の情報処理端末の動作を説明するフローチャートである。
【発明を実施するための形態】
【００１１】
以下、各実施形態について添付の図面を参照しながら説明する。尚、本明細書及び図面において、実質的に同一の機能構成を有する構成要素については、同一の符号を付することにより重複した説明を省く。
【００１２】
図１は、オブジェクトの表示を説明する図である。図１に示す情報処理端末１００は、撮像装置を有しており、撮像装置により撮像された撮像画像を画面１０に表示させる。
【００１３】
また、情報処理端末１００は、撮像装置の撮像領域に含まれる位置情報と対応付けられたＡＲ（Ａｕｇｍｅｎｔｅｄ  Ｒｅａｌｉｔｙ）コンテンツ情報を取得し、ＡＲコンテンツ情報に含まれるオブジェクトデータを、撮像画像に重畳させて表示させる。ＡＲコンテンツ情報は、オブジェクトデータと、オブジェクトデータと対応付けられた位置情報と、を含む情報である。
【００１４】
図１に示す画面１０には、建造物１の画像１ａと、建造物２の画像２ａとを含む撮像画像が表示されている。また、画面１０には、オブジェクト１１とオブジェクト１２とが表示されている。
【００１５】
オブジェクト１１は、建造物１の位置を示す位置情報と対応付けられたオブジェクトデータを表示させたものであり、オブジェクト１２は、建造物２の位置を示す位置情報と対応付けられたオブジェクトデータを表示させたものである。
【００１６】
ＡＲコンテンツ情報は、後述するコンテンツ提供サーバに格納されている。情報処理端末１００は、コンテンツ提供サーバから、位置情報が撮像装置の撮像領域に含まれるＡＲコンテンツ情報を取得し、位置情報と対応付けられたオブジェクトデータを表示させる。
【００１７】
また、情報処理端末１００は、情報処理端末１００の移動状態に応じて、撮像領域における、ＡＲコンテンツ情報を取得する範囲を特定する。そして、情報処理端末１００は、特定された範囲内に含まれる位置情報と対応するＡＲコンテンツ情報を取得し、ＡＲコンテンツ情報に含まれるオブジェクトデータを、撮像画像に重畳させる。以下の説明では、ＡＲコンテンツ情報を取得する範囲として特定された範囲を取得対象領域と呼ぶ。また、移動状態とは、情報処理端末１００の速度と、情報処理端末１００の移動手段を含む。
【００１８】
具体的には、情報処理端末１００は、例えば情報処理端末１００のユーザが立ち止まっていた場合、つまり、情報処理端末１００の速度が０又は０に近い場合等には、撮像領域において、情報処理端末１００に近い範囲を取得対象領域とする。
【００１９】
また、情報処理端末１００は、例えば情報処理端末１００のユーザが、車や電車等で移動していた場合、つまり、情報処理端末１００のユーザが所定の速度以上で移動していた場合等には、撮像領域において、情報処理端末１００から遠い範囲を取得対象領域とする。
【００２０】
以下に、図２を参照して取得対象領域の特定について説明する。図２は、取得対象領域について説明する図である。
【００２１】
図２において、距離Ｌｐは、情報処理端末１００の撮像装置の有するレンズの焦点距離であり、情報処理端末１００から撮像領域２０までの距離である。撮像領域２０の幅Ｗと、高さＨは、撮像装置のレンズの焦点距離と、画角とにより決まる。
【００２２】
また、撮像領域２０において、情報処理端末１００と対向する平面２１は、撮像装置のレンズの光学中心から焦点距離Ｌｐの位置にある点を含む平面である。本実施形態では、情報処理端末１００の撮像装置の有するレンズと、平面２１との位置関係は固定されているものとした。
【００２３】
情報処理端末１００は、情報処理端末１００の移動状態に応じて、撮像領域２０において、ＡＲコンテンツ情報を取得する取得対象領域２２を特定する。
【００２４】
具体的には、情報処理端末１００は、取得対象領域２２の幅をＷ１、高さをＨ１、奥行きをＤ１とした場合に、情報処理端末１００の速度が小さくなるほど、取得対象領域２２を平面２１に近づける。つまり、情報処理端末１００は、撮像領域２０の平面２１から、取得対象領域２２において撮像装置と対向する平面２３までの距離Ｌを短くする。
【００２５】
また、情報処理端末１００は、情報処理端末１００の速度が小さくなるほど、取得対象領域２２の幅Ｗ１と高さＨ１を撮像領域２０の幅Ｗと高さＨに近づける。つまり、情報処理端末１００は、取得対象領域２２における平面２３の面積を大きくする。このとき、情報処理端末１００は、平面２３の高さＨ１及び幅Ｗ１の中点が公差する交点Ｐは、レンズの光学中心と同一線上にあるものとし、幅Ｗ１と高さＨ１の値を変化させる際には、交点Ｐを中心に平面２３の大きさが変化するようにする。
【００２６】
さらに、情報処理端末１００は、情報処理端末１００の速度が小さくなるほど、取得対象領域２２の奥行きＤ１を短くする。
【００２７】
そして、情報処理端末１００は、情報処理端末１００の速度が０となったとき、取得対象領域２２の幅Ｗ１と高さＨ１とを、撮像領域２０の幅Ｗと高さＨと一致させ、奥行きＤ１の値を所定の値とする。所定の値の詳細は後述する。
【００２８】
また、情報処理端末１００は、情報処理端末１００の速度が大きくなるほど、取得対象領域２２を平面２１から遠ざける。つまり、情報処理端末１００は、平面２１から、平面２３までの距離Ｌを長くする。以下の説明では、距離Ｌを、情報処理装置から取得対象領域までの距離と呼ぶ。
【００２９】
また、情報処理端末１００は、情報処理端末１００の速度が大きくなるほど、取得対象領域２２の幅Ｗ１及び高さＨ１の値を撮像領域２０の幅Ｗ及び高さＨの値を小さくする。つまり、情報処理端末１００は、取得対象領域２２における平面２３の面積を小さくする。さらに、情報処理端末１００は、情報処理端末１００の速度が大きくなるほど、取得対象領域２２の奥行きＤ１を長くする。
【００３０】
以上のように、情報処理端末１００は、情報処理端末１００の速度に応じて、取得対象領域２２を変化させる。以下に、図３を参照して取得対象領域の変化について説明する。図３は、取得対象領域の変化を説明する図である。
【００３１】
図３における取得対象領域３１は、情報処理端末１００の速度が０に近い場合を示している。ここで、例えば情報処理端末１００の速度が大きくなっていった場合、取得対象領域３１は、取得対象領域３２へ変化する。
【００３２】
取得対象領域３１の幅Ｗ３１は、取得対象領域３２の幅Ｗ３２より広く、取得対象領域３１の高さＨ３１は、取得対象領域３２の高さＨ３２より高く、取得対象領域３１の奥行きＤ３１は、取得対象領域３２の奥行きＤ３２より短い。
【００３３】
このように、情報処理端末１００は、情報処理端末１００の速度に応じて、撮像領域２０内の取得対象領域を変化させる。
【００３４】
ここで、情報処理端末１００のユーザが、徒歩で移動している状態で、情報処理端末１００の撮像画像上にオブジェクトを表示させようとした場合について考える。
【００３５】
この場合、ユーザにとっては、徒歩で到達できない程遠くにあるものと対応するオブジェクトよりも、徒歩圏内にあるものと対応するオブジェクトの方が有用な情報となり得る。
【００３６】
そこで、情報処理端末１００は、を撮像領域２０において情報処理端末１００に近い範囲（平面２１に近い範囲）を取得対象領域３１とし、取得対象領域３１に位置情報が含まれるＡＲコンテンツ情報を取得する。そして、情報処理端末１００は、取得したＡＲコンテンツ情報のオブジェクトデータを撮像画像と重畳させて表示させる。
【００３７】
情報処理端末１００は、取得対象領域３１を情報処理端末１００に近くすることで、情報処理端末１００から近くにあるもののオブジェクトデータを表示させることができる。すなわち、情報処理端末１００は、徒歩で移動しているユーザに対して有用と思われるオブジェクトデータを提供することができる。
【００３８】
また、情報処理端末１００のユーザが、新幹線等で移動している状態で、情報処理端末１００の撮像画像上にオブジェクトを表示させようとした場合について考える。
【００３９】
この場合、情報処理端末１００の速度が大きい（速い）ため、情報処理端末１００の近くのオブジェクトを表示させても、オブジェクトが対応付いた場所をすぐに通過してしまう。このため、情報処理端末１００の近くに表示されたオブジェクトは、ユーザにとって有用な情報とならない可能性が高い。
【００４０】
そこで情報処理端末１００は、情報処理端末１００の速度が大きい場合には、情報処理端末１００から離間する方向の範囲を取得対象領域３２とし、取得対象領域３２に位置情報が含まれるＡＲコンテンツ情報を取得する。そして、情報処理端末１００は、取得したＡＲコンテンツ情報のオブジェクトデータを撮像画像と重畳させて表示させる。
【００４１】
情報処理端末１００は、取得対象領域３２を情報処理端末１００に遠くすることで、情報処理端末１００から遠くにあるもののオブジェクトデータを表示させることができる。すなわち、情報処理端末１００は、高速で移動しているユーザに対して有用と思われるオブジェクトデータを提供することができる。
【００４２】
また、取得対象領域３１、３２は、両方とも、情報処理端末１００が移動している際には、その進行方向に向かって前方の領域となるように決定される。つまり、情報処理端末１００は、情報処理端末１００の前方にあるオブジェクトデータを表示させる。
【００４３】
以上のように、情報処理端末１００は、速度に応じてＡＲコンテンツ情報を取得する対象である取得対象領域を変化させるため、情報処理端末１００の移動状態に応じたＡＲコンテンツを表示させることができる。また、情報処理端末１００は、ユーザにとって有用と思われるＡＲコンテンツ情報を取得するため、情報処理端末１００に多数のオブジェクトが表示されることを抑制でき、視認性を向上させることができる。
【００４４】
［第一の実施形態］
以下に図面を参照して第一の実施形態について説明する。図４は、第一の実施形態の表示制御システムの一例を示す図である。
【００４５】
本実施形態の表示制御システム３００は、情報処理端末１００と、コンテンツ提供サーバ２００とを有する。情報処理端末１００と、コンテンツ提供サーバ２００とは、ネットワークを介して接続される。
【００４６】
本実施形態の情報処理端末１００は、表示制御処理部１１０を有する。本実施形態のコンテンツ提供サーバ２００は、コンテンツデータベース２１０を有する。
【００４７】
本実施形態の情報処理端末１００は、表示制御処理部１１０により、情報処理端末１００の移動状態に応じて、撮像領域におけるオブジェクトの取得対象領域を特定する。そして、情報処理端末１００は、コンテンツ提供サーバ２００から、位置情報が取得対象領域に含まれるＡＲコンテンツ情報を取得し、位置情報と対応付けられたオブジェクトデータを表示させる。
【００４８】
図５は、第一の実施形態のコンテンツデータベースの一例を示す図である。本実施形態のコンテンツデータベース２１０は、情報の項目として、オブジェクトＩＤ、位置情報、オブジェクトデータを有する。
【００４９】
コンテンツデータベース２１０では、項目「オブジェクトＩＤ」に、その他の項目が対応付けられている。以下の説明では、項目「オブジェクトＩＤ」の値と、その他の項目の値とを含む情報をＡＲコンテンツ情報と呼ぶ。
【００５０】
項目「オブジェクトＩＤ」の値は、オブジェクトデータを識別する識別子である。項目「位置情報」の値は、オブジェクトデータと対応付けられており、予め設定された測位方式により測位された情報である。位置情報は、緯度、経度、高度からなる三次元座標（Ｘ，Ｙ，Ｚ）で表すことができる。
【００５１】
項目「オブジェクトデータ」の値は、実際のオブジェクトデータの情報である。図５の例では、オブジェクトデータとしてテキストデータが示されているが、これに限定されない。本実施形態のオブジェクトデータは、画像、アイコン、アニメーション、マーク、模様、映像、或いはこれらの組み合わせのデータであってもよい。さらに、本実施形態のオブジェクトデータは、例えば観光情報等を示すデータであっても良い。
【００５２】
次に、本実施形態の情報処理端末１００について説明する。図６は、情報処理端末のハードウェア構成の一例を示す図である。
【００５３】
本実施形態の情報処理端末１００は、それぞれバスＢで相互に接続されている表示操作装置１１、補助記憶装置１２、ドライブ装置１３、センサ１４、メモリ装置１５、演算処理装置１６、通信装置１７、撮像装置１８、位置特定装置１９を含む。
【００５４】
表示操作装置１１は、表示機能と入力機能を有するタッチパネル等により実現される。補助記憶装置１２は、情報処理端末１００を制御する各種プログラムや、情報処理端末１００の動作に必要なファイル、データ等を格納する。
ドライブ装置１３は、例えば記録媒体６等を着脱自在にセットすることができ、セットした記録媒体６に記録された各種情報を読み込んだり、所定の情報を記録媒体６に書き込むことができる。ドライブ装置１３は、例えば媒体装填スロット等であるが、これに限定されるものではない。
【００５５】
センサ１４は、加速度センサと地磁気センサとを含む。加速度センサは、情報処理端末１００の加速度を検出する。地磁気センサは、情報処理端末１００が向いている方向を検出する。
【００５６】
メモリ装置１５は、演算処理装置１６による演算により得られたデータや値等を格納する。演算処理装置１６は、各種プログラムを読み出して実行することで、情報処理端末１００の有する各種の機能を実現する。通信装置１７は、モデム、ＬＡＮカード等を含み、ネットワークに接続する為に用いられる。また、通信装置１７は、情報処理端末１００と外部装置との通信を行う。
【００５７】
撮像装置１８は、カメラである。位置特定装置１９は、例えばＧＰＳ（Ｇｌｏｂａｌ  Ｐｏｓｉｔｉｏｎｉｎｇ  Ｓｙｓｔｅｍ）機能等により、情報処理端末１００の位置を特定する装置である。
【００５８】
表示制御プログラムは、情報処理端末１００を制御する各種プログラムの少なくとも一部である。表示制御プログラムは例えば記録媒体６の配布やネットワークからのダウンロードなどによって提供される。表示制御プログラムを記録した記録媒体６は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００５９】
また、表示制御プログラムは、表示制御プログラムを記録した記録媒体６がドライブ装置１３にセットされるとは記録媒体６からドライブ装置１３を介して補助記憶装置１２にインストールされる。ネットワークからダウンロードされた表示制御プログラムは、通信装置１７を介して補助記憶装置１２にインストールされる。
【００６０】
尚、本実施形態のコンテンツ提供サーバ２００は、例えば表示操作装置１１の代わりに、キーワード等の入力装置と、ディスプレイ等の出力装置とを有する一般的なコンピュータであるため、説明を省略する。
【００６１】
次に、図７を参照して本実施形態の情報処理端末１００の機能について説明する。図７は、第一の実施形態の情報処理端末の機能を説明する図である。
【００６２】
本実施形態の情報処理端末１００は、表示制御処理部１１０と、記憶部１２０とを有する。本実施形態の表示制御処理部１１０は、演算処理装置１６が補助記憶装置１２やメモリ装置１５に格納された表示制御プログラムを実行することで実現される。本実施形態の記憶部１２０は、補助記憶装置１２やメモリ装置１５の所定の領域において実現される。
【００６３】
本実施形態の表示制御処理部１１０は、撮像領域特定部１１１、移動状態判定部１１２、取得対象領域決定部１１３、ＡＲコンテンツ取得部１１４、表示処理部１１５を有する。また、記憶部１２０は、領域決定テーブル１２１を有する。
【００６４】
本実施形態の撮像領域特定部１１１は、情報処理端末１００の有する撮像装置の撮像領域を特定する。具体的には、撮像領域特定部１１１は、位置特定装置１９により、情報処理端末１００の位置を示す位置情報を取得し、位置情報に基づき撮像領域を特定する。
【００６５】
本実施形態において、情報処理端末１００の位置情報は、例えば緯度・経度・高さの情報として取得されても良い。本実施形態の位置特定装置１９は、例えば所定のビーコンの受信等により、情報処理端末１００の位置を特定し、位置情報として取得しても良い。また、本実施形態の位置特定装置１９は、Ｗｉ−Ｆｉ（Wireless Fidelity）の接続の可否に応じて情報処理端末１００の位置を特定し、位置情報として取得しても良い。
【００６６】
移動状態判定部１１２は、加速度センサ及び地磁気センサの値を取得し、情報処理端末１００の速度と、進行方向を判定する。
【００６７】
取得対象領域決定部１１３は、移動状態判定部１１２により得られた情報処理端末１００の移動状態に応じて、撮像領域における取得対象領域を特定する。より具体的には、取得対象領域決定部１１３は、後述する領域決定テーブル１２１を参照し、情報処理端末１００の速度と対応する取得対象領域を特定する。
【００６８】
ＡＲコンテンツ取得部１１４は、コンテンツデータベース２１０を参照し、特定された取得対象領域内に位置情報が含まれるＡＲコンテンツ情報を取得する。
【００６９】
表示処理部１１５は、取得したＡＲコンテンツ情報を、撮像画像に重畳させて表示させる。
【００７０】
本実施形態の記憶部１２０は、領域決定テーブル１２１を有する。以下に、図８を参照して領域決定テーブル１２１について説明する。
【００７１】
図８は、領域決定テーブルの一例を示す図である。本実施形態の領域決定テーブル１２１では、情報の項目として、速度の範囲と、幅、高さ、奥行き及び距離が対応付けられている。
【００７２】
項目「速度の範囲」の値は、情報処理端末１００の速度の範囲を示す。尚、Ｖは情報処理端末１００の速度である。項目「幅」の値は、取得対象領域の幅Ｗ１の値を示す。項目「高さ」の値は、取得対象領域の高さＨ１の値を示す。項目「奥行き」の値は、取得対象領域の奥行きＤ１の値を示す。項目「距離」の値は、撮像領域において撮像装置に最も近い平面から取得対象領域において撮像装置と対向する平面までの距離である。具体的には、平面２１から平面２３までの距離Ｌの値である（図２参照）。
【００７３】
領域決定テーブル１２１において、Ｖ１、Ｖ２、Ｖ３は情報処理端末１００の速度を示しており、これらの大小関係は、Ｖ１＜Ｖ２＜Ｖ３である。
【００７４】
領域決定テーブル１２１において、幅の大小関係は、Ｗ１ａ＞Ｗ１ｂ＞Ｗ１ｃである。領域決定テーブル１２１において、高さの大小関係は、Ｈ１ａ＞Ｈ１ｂ＞Ｈ１ｃである。領域決定テーブル１２１において、奥行きの大小関係は、Ｄ１ｃ＞Ｄ１ｂ＞Ｄ１ａである。
【００７５】
つまり、情報処理端末１００の速度が大きくなるほど、取得対象領域は情報処理端末１００が遠ざかり、且つ幅Ｗ１は狭くなり、高さＨ１は低くなり、奥行きＤ１は長くなる。
【００７６】
尚、領域決定テーブル１２１では、速度の範囲「０≦Ｖ＜Ｖ１」と対応する幅Ｗ１ａは撮像領域２０の幅Ｗと同じ値であり、高さＨ１ａは撮像領域２０の高さＨと同じ値であり、奥行きＤ１ａは所定の値であり、距離Ｌ１は焦点距離Ｌｐと同じ値であっても良い。
【００７７】
本実施形態における奥行きＤ１ａの所定の値とは、例えば情報処理端末１００から徒歩圏内の距離である。本実施形態において、例えば徒歩２０分の距離を徒歩圏内とした場合、奥行きＤ１ａにおける所定の値は、２０分と、歩行速度として予め設定された分速とを乗算した結果の値となる。また、歩行速度は、情報処理端末１００の加速度センサにより検出された速度を設定しても良い。このように設定すれば、情報処理端末１００のユーザの歩行速度に応じた所定の値を設定することができる。
【００７８】
また、領域決定テーブル１２１において、例えば速度Ｖ１は、歩行速度の最大値となる値であっても良い。歩行速度の最大値は、例えば情報処理端末１００のユーザが予め設定しても良いし、統計的な値が設定されていても良い。
【００７９】
次に、図９を参照し、本実施形態の情報処理端末１００の動作について説明する。図９は、第一の実施形態の情報処理端末の動作を説明するフローチャートである。
【００８０】
本実施形態の情報処理端末１００は、表示制御処理部１１０の撮像領域特定部１１１により、撮像装置１８の撮像領域を特定する（ステップＳ９０１）。より具体的には、撮像領域特定部１１１は、位置特定装置１９により、情報処理端末１００の位置情報を取得して位置を特定する。また、撮像領域特定部１１１は、センサ１４に含まれる地磁気センサから、情報処理端末１００の向きを特定する。そしても撮像領域特定部１１１は、情報処理端末１００の位置と、向きと、撮像装置１８のレンズの仕様等から、撮像領域を特定する。
【００８１】
続いて情報処理端末１００は、移動状態判定部１１２により、情報処理端末１００の移動状態を判定する（ステップＳ９０２）。具体的には、移動状態判定部１１２は、センサ１４に含まれる加速度センサの値から、情報処理端末１００の速度を求める。
【００８２】
続いて情報処理端末１００は、取得対象領域決定部１１３により、撮像領域における取得対象領域を決定する（ステップＳ９０３）。ステップＳ９０３の処理の詳細は後述する。
【００８３】
続いて情報処理端末１００は、ＡＲコンテンツ取得部１１４により、コンテンツ提供サーバ２００から、取得対象領域に位置情報が含まれるＡＲコンテンツ情報を取得する（ステップＳ９０４）。
【００８４】
続いて情報処理端末１００は、表示処理部１１５により、ＡＲコンテンツ情報に含まれる位置情報を撮像画像上に反映させた位置に、位置情報と対応付けられたオブジェクトデータを表示させる（ステップＳ９０５）。
【００８５】
続いて情報処理端末１００は、オブジェクトデータの表示の終了指示を受け付けたか否かを判定する（ステップＳ９０６）。ステップＳ９０６で終了指示を受け付けない場合、情報処理端末１００の表示制御処理部１１０は、ステップＳ９０１へ戻る。また、ステップＳ９０６において表示の終了指示を受け付けた場合は、オブジェクトデータの表示を終了させ、処理を終了する（ステップＳ９０６）。
【００８６】
尚、図９では、撮像領域における取得対象領域を決定した後に、取得対象領域に位置情報が含まれるＡＲコンテンツ情報を取得するものとしたが、これに限定されない。情報処理端末１００は、撮像領域を特定した後に、撮像領域に位置情報が含まれるＡＲコンテンツ情報を先に取得し、取得したＡＲコンテンツ情報から、取得対象領域に位置情報が含まれるＡＲコンテンツ情報を抽出しても良い。
【００８７】
次に、図１０を参照し、本実施形態の取得対象領域決定部１１３の処理について説明する。図１０は、第一の実施形態の取得対象領域決定部の処理を説明するフローチャートである。
【００８８】
本実施形態の取得対象領域決定部１１３は、移動状態判定部１１２により、情報処理端末１００の速度が得られると、速度の値を取得する（ステップＳ１００１）。続いて取得対象領域決定部１１３は、領域決定テーブル１２１を参照し、取得した速度の値が含まれる速度の範囲を決定する（ステップＳ１００２）。
【００８９】
続いて対象領域決定部１１３は、決定した速度の範囲と対応する幅Ｗ１、高さＨ１、奥行きＤ１及び距離Ｌの値を取得する（ステップＳ１００３）。続いて対象領域決定部１１３は、撮像領域内において、ステップＳ１００３で取得した各値により特定される領域を取得対象領域に決定し（ステップＳ１００４）、処理を終了する。
【００９０】
尚、本実施形態では、取得対象領域の幅Ｗ１、高さＨ１及び奥行きＤ１の値と、距離Ｌの値は、予め速度の範囲と対応付けられているものとしたが、これに限定されない。
【００９１】
取得対象領域の幅Ｗ１、高さＨ１及び奥行きＤ１の値と、距離Ｌの値は、例えば情報処理端末１００の速度の値と、これらの各値との関係を示した関数等により決められても良い。
【００９２】
具体的には、例えば取得対象領域の幅Ｗ１の値は、最大値を撮像領域２０の幅Ｗの値とし、速度を示す値が大きくなるほど小さくなるような関数で定義されていても良い。同様に、取得対象領域の高さＨ１の値は、最大値を撮像領域２０の高さＨの値とし、速度を示す値が大きくなるほど小さくなるような関数で定義されていても良い。
【００９３】
また、取得対象領域の奥行きＤ１の値は、最小値を徒歩圏内の距離の値とし、速度を示す値が大きくなるほど大きくなるような関数で定義されていても良い。同様に、距離Ｌの値は、最小値を０とし、速度を示す値が大きくなるほど大きくなるような関数で定義されていても良い。
【００９４】
以上のように、本実施形態によれば、情報処理端末１００の速度に応じてＡＲコンテンツ情報を取得する対象となる取得対象領域を決定し、速度に応じたＡＲコンテンツ情報をユーザに提供する。したがって、本実施形態によれば、情報処理端末１００のユーザの移動状態に応じたＡＲコンテンツを表示させることができる。
【００９５】
［第二の実施形態］
以下に図面を参照して第二の実施形態について説明する。図１１は、第一の実施形態の表示制御システムの一例を示す図である。
【００９６】
本実施形態の表示制御システム３００Ａは、情報処理端末１００Ａと、コンテンツ提供サーバ２００Ａとを有する。
【００９７】
本実施形態の情報処理端末１００Ａは、表示制御処理部１１０Ａを有する。本実施形態のコンテンツ提供サーバ２００Ａは、車用コンテンツデータベース２２０、電車用コンテンツデータベース２３０、バス用コンテンツデータベース２４０、自転車用コンテンツデータベース２５０、徒歩用コンテンツデータベース２６０、地図データベース２７０を有する。
【００９８】
コンテンツ提供サーバ２００Ａの有する各コンテンツデータベースの詳細は後述する。コンテンツ提供サーバ２００Ａの有する地図データベース２７０は、例えばカーナビゲーションシステム等に利用される一般的な地図情報が格納されている。尚、本実施形態では、地図データベース２７０はコンテンツ提供サーバ２００Ａに設けられているものとしたが、これに限定されない。地図データベース２７０は、情報処理端末１００Ａ及びコンテンツ提供サーバ２００Ａと通信が可能なコンテンツ提供サーバ２００Ａ以外のサーバに設けられていても良い。
【００９９】
以下に、図１２乃至図１６を参照して本実施形態のコンテンツ提供データベース２００Ａの有する各コンテンツデータベースについて説明する。
【０１００】
図１２は、車用コンテンツデータベースの一例を示す図である。本実施形態の車用コンテンツデータベース２２０は、情報の項目として、オブジェクトＩＤ、位置情報、オブジェクトデータを有する。
【０１０１】
車用コンテンツデータベース２２０において、項目「オブジェクトデータ」の値であるオブジェクトデータは、車で移動しているユーザにとって有用と思われるオブジェクトデータである。具体的には、例えば車用コンテンツデータベース２２０のオブジェクトデータは、「○○パーキング」や「××高速入り口」等、道路上に存在するものと対応付けられたオブジェクトデータであっても良い。
【０１０２】
図１３は、電車用コンテンツデータベースの一例を示す図である。本実施形態の電車用コンテンツデータベース２３０は、情報の項目として、オブジェクトＩＤ、位置情報、オブジェクトデータを有する。
【０１０３】
電車用コンテンツデータベース２３０において、項目「オブジェクトデータ」の値であるオブジェクトデータは、電車で移動しているユーザにとって有用と思われるオブジェクトデータである。具体的には、例えば電車用コンテンツデータベース２３０のオブジェクトデータは、「富士山」、「○○川」等、電車の車窓から見えるものと対応付けられたオブジェクトデータであっても良い。
【０１０４】
図１４は、バス用コンテンツデータベースの一例を示す図である。本実施形態のバス用コンテンツデータベース２４０は、情報の項目として、オブジェクトＩＤ、位置情報、オブジェクトデータを有する。
【０１０５】
バス用コンテンツデータベース２４０において、項目「オブジェクトデータ」の値であるオブジェクトデータは、バスで移動しているユーザにとって有用と思われるオブジェクトデータである。具体的には、例えばバス用コンテンツデータベース２４０のオブジェクトデータは、「○○停留所」等、バス停の名前であったり、バス停の近くに存在する店舗等と対応付けられたオブジェクトデータであっても良い。また、例えばバス用コンテンツデータベース２４０のオブジェクトデータは、「××公園」等、バスの車窓から見えるものと対応付けられたオブジェクトデータであっても良い。
【０１０６】
図１５は、自転車用コンテンツデータベースの一例を示す図である。本実施形態の自転車用コンテンツデータベース２５０は、情報の項目として、オブジェクトＩＤ、位置情報、オブジェクトデータを有する。
【０１０７】
自転車用コンテンツデータベース２５０において、項目「オブジェクトデータ」の値であるオブジェクトデータは、自転車で移動しているユーザにとって有用と思われるオブジェクトデータである。具体的には、例えば自転車用コンテンツデータベース２５０のオブジェクトデータは、「サイクリングコースがあります」、「給水できます」等、自転車に乗っているユーザが利用できるものと対応付けられたオブジェクトデータであっても良い。
【０１０８】
図１６は、徒歩用コンテンツデータベースの一例を示す図である。本実施形態の徒歩用コンテンツデータベース２６０は、情報の項目として、オブジェクトＩＤ、位置情報、オブジェクトデータを有する。
【０１０９】
徒歩用コンテンツデータベース２６０において、項目「オブジェクトデータ」の値であるオブジェクトデータは、徒歩で移動しているユーザにとって有用と思われるオブジェクトデータである。具体的には、例えば徒歩用コンテンツデータベース２６０のオブジェクトデータは、「地下道への入り口」等、徒歩で移動しているユーザに対する道案内を目的としたオブジェクトデータであっても良い。また、例えば徒歩用コンテンツデータベース２６０のオブジェクトデータは、「ベンチあります」等、徒歩で移動しているユーザが利用できるものと対応付けられたオブジェクトデータであっても良い。
【０１１０】
図１７は、第二の実施形態の情報処理端末の機能を説明する図である。本実施形態の情報処理端末１００Ａは、表示制御処理部１１０Ａと、記憶部１２０Ａとを有する。
【０１１１】
本実施形態の表示制御処理部１１０Ａは、第一の実施形態の表示制御処理部１１０の有する各部に加え、移動手段判別部１１６を有する。
【０１１２】
本実施形態の移動手段判別部１１６は、加速度センサにより検出される情報処理端末１００Ａの速度の履歴を所定期間分保持し、後述する移動手段判別テーブル１２２を参照し、情報処理端末１００Ａの移動手段を判別する。
【０１１３】
本実施形態の記憶部１２０Ａは、領域決定テーブル１２１に加えて、移動手段判別テーブル１２２を格納する。
【０１１４】
以下に、本実施形態の移動手段判別テーブル１２２について説明する。図１８は、第二の実施形態の移動手段判別テーブルの一例を示す図である。
【０１１５】
本実施形態の移動手段判別テーブル１２２は、移動手段と、判定条件とが対応付けられている。移動手段は、車、バス、電車、自転車、徒歩である。尚、本実施形態の車は、乗用車等の一般車両を示す。判定条件は、情報処理端末１００Ａの移動手段を判別する際の条件である。
【０１１６】
本実施形態では、情報処理端末１００Ａが、第一の所定の速度以上で、地図データベース２７０に格納された地図情報における道路上を移動していた場合、移動手段判別テーブル１２２により、情報処理端末１００Ａの移動手段を車と判別する。第一の所定速度とは、移動手段が車であると判別するための閾値であり、予め設定されている。
【０１１７】
また、本実施形態では、情報処理端末１００Ａが、地図データベース２７０に格納された地図情報における道路上を移動し、且つ信号以外の場所で減速及び停車を繰り返す場合、移動手段判別テーブル１２２により、情報処理端末１００Ａの移動手段をバスと判別する。
【０１１８】
また、本実施形態では、情報処理端末１００Ａが、地図データベース２７０に格納された地図情報における線路上を移動している場合、移動手段判別テーブル１２２により、情報処理端末１００Ａの移動手段を電車と判別する。
【０１１９】
また、本実施形態では、情報処理端末１００Ａが、地図データベース２７０に格納された地図情報における道路のうち、車道又は歩道を移動し、且つ速度が所定の範囲内である場合、移動手段判別テーブル１２２により、情報処理端末１００Ａの移動手段を自転車と判別する。
【０１２０】
また、本実施形態では、情報処理端末１００Ａが、第二の所定の速度以下で移動している場合、移動手段判別テーブル１２２により、情報処理端末１００Ａの移動手段を徒歩と判別する。第二の所定速度とは、移動手段が徒歩であると判別するための閾値である。本実施形態の第二の所定速度は、歩行速度の最大値となる値であり、予め設定されている。
【０１２１】
次に、図１９を参照して本実施形態の情報処理端末１００Ａの動作について説明する。図１９は、第二の実施形態の情報処理端末の動作を説明するフローチャートである。
【０１２２】
図１９のステップＳ１９０１からステップＳ１９０３までの処理は、図９のステップＳ９０１からステップＳ９０３までの処理と同様であるから、説明を省略する。
【０１２３】
情報処理端末１００Ａの表示制御処理部１１０Ａは、ステップＳ１９０３において取得対象領域が決定すると、移動手段判別部１１６により、情報処理端末１００Ａの移動手段を判別する（ステップＳ１９０４）。
【０１２４】
具体的には、移動手段判別部１１６は、保持している情報処理端末１００Ａの過去の速度の履歴と、移動手段判別テーブル１２２と、地図データベース２７０とを参照する。次に、移動手段判別部１１６は、情報処理端末１００Ａの速度の履歴と、情報処理端末１００Ａが移動している場所とが、移動手段判別テーブル１２２の判定条件を満たす移動手段を特定する。そして、移動手段判別部１１６は、特定された移動手段を、情報処理端末１００Ａの移動手段と判別する。
【０１２５】
続いて情報処理端末１００Ａは、ＡＲコンテンツ取得部１１４により、判別された移動手段と対応するコンテンツデータベースにおいて、位置情報が取得対象領域に含まれるＡＲコンテンツ情報を取得する（ステップＳ１９０５）。
【０１２６】
ステップＳ１９０６とステップＳ１９０７の処理は、図９のステップＳ９０５とステップＳ９０６の処理と同様であるから、説明を省略する。
【０１２７】
以上のように、本実施形態では、情報処理端末１００Ａの速度に応じた範囲に、情報処理端末１００Ａの移動手段に応じたＡＲコンテンツを表示させることができる。
【０１２８】
尚、本実施形態の情報処理端末１００Ａは、移動手段判別部１１６により情報処理端末１００Ａの移動手段を判別するものとしたが、これに限定されない。本実施形態の情報処理端末１００Ａは、例えば移動手段を入力させる画面を表示させ入力された移動手段に応じたＡＲコンテンツ情報を取得しても良い。
【０１２９】
［第三の実施形態］
以下に図面を参照して第三の実施形態について説明する。図２０は、第三の実施形態の表示制御システムの一例を示す図である。
【０１３０】
本実施形態の表示制御システム３００Ｂは、情報処理端末１００Ｂと、コンテンツ提供サーバ２００Ｂとを有する。
【０１３１】
本実施形態の情報処理端末１００Ｂは、表示制御処理部１１０Ｂを有する。本実施形態のコンテンツ提供サーバ２００Ｂは、車用コンテンツデータベース２２０、電車用コンテンツデータベース２３０、コンテンツデータベース２１０Ａ、地図データベース２７０を有する。
【０１３２】
コンテンツデータベース２１０Ａは、移動手段が徒歩である場合のＡＲコンテンツ情報や、移動手段が自転車用である場合のＡＲコンテンツ情報が格納されている。また、コンテンツデータベース２１０Ａは、移動手段に関わらず共通して提供されるＡＲコンテンツ情報などが格納されている。
【０１３３】
図２１は、第三の実施形態の情報処理端末の機能を説明する図である。本実施形態の情報処理端末１００Ｂは、表示制御処理部１１０Ｂと、記憶部１２０Ｂとを有する。
【０１３４】
本実施形態の表示制御処理部１１０Ｂは、取得対象領域決定部１１３Ａと、移動手段判別部１１６Ａと、を有する。
【０１３５】
本実施形態の取得対象領域決定部１１３Ａは、移動手段判別部１１６Ａにより判別された情報処理端末１００Ｂの移動手段に応じて取得対象領域を決定する。また、本実施形態の取得対象領域決定部１１３Ａは、移動手段により情報処理端末１００Ｂの移動手段が判別されなかった場合に、情報処理端末１００Ｂの速度に応じて取得対象領域を決定する。
【０１３６】
本実施形態の移動手段判別部１１６Ａは、加速度センサにより検出される情報処理端末１００Ａの速度の履歴を所定期間分保持し、後述する移動手段判別テーブル１２３を参照し、情報処理端末１００Ｂの移動手段を判別する。
【０１３７】
本実施形態の記憶部１２０Ｂは、移動手段判別テーブル１２３を格納する。以下に、本実施形態の移動手段判別テーブル１２３について説明する。
【０１３８】
図２２は、第三の情報処理端末の移動手段判別テーブルの一例を示す図である。本実施形態の移動手段判別テーブル１２３は、移動手段と、判定条件と、速度の範囲とが対応付けられている。
【０１３９】
移動手段は、車と電車である。尚、本実施形態の車は、車道を走行する全ての車両を示す。
【０１４０】
判定条件は、情報処理端末１００Ａの移動手段が、対応する移動手段であるか否かを判別する際の条件である。
【０１４１】
本実施形態では、情報処理端末１００Ｂが、地図データベース２７０に格納されている地図情報に示される車道上を移動していた場合に、情報処理端末１００Ｂの移動手段を車と判定する。また、移動手段である車と対応付けられた速度の範囲は、一般的な車両の速度の範囲であっても良い。
【０１４２】
同様に、本実施形態では、情報処理端末１００Ｂが、地図データベース２７０に格納されている地図情報に示される線路上を移動していた場合に、情報処理端末１００Ｂの移動手段を電車と判定する。また、移動手段である電車と対応付けられた速度の範囲は、一般的な電車の速度の範囲であっても良い。
【０１４３】
次に、図２３を参照し、本実施形態の情報処理端末１００Ｂの動作について説明する。図２３は、第三の実施形態の情報処理端末の動作を説明するフローチャートである。
【０１４４】
図２３のステップＳ２３０１は、図９のステップＳ９０１の処理と同様であるから、説明を省略する。
【０１４５】
続いて情報処理端末１００Ｂは、表示制御処理部１１０Ｂの移動手段判別部１１６Ａにより、情報処理端末１００Ｂの移動手段が判別されたか否かを判定する。
【０１４６】
具体的には、移動手段判別部１１６Ａは、情報処理端末１００Ｂの位置情報の履歴を保持しておく。そして、移動手段判別部１１６Ａは、移動手段判別テーブル１２３と、地図情報とを参照し、位置情報の変化から情報処理端末１００Ｂが地図情報における車道上を移動しているか又は線路上を移動しているかを判定する。
【０１４７】
移動手段判別部１１６Ａは、情報処理端末１００Ｂが車道上を移動していた場合は、移動手段を車と判別する。また、移動手段判別部１１６Ａは、情報処理端末１００Ｂが線路上を移動していた場合は、移動手段を電車と判別する。
【０１４８】
ステップＳ２３０２において、移動手段が判別された場合、移動手段判別部１１６Ａは、移動手段判別テーブル１２３において、移動手段と対応付けられた速度の範囲を取得する（ステップＳ２３０３）。
【０１４９】
ステップＳ２３０２において、移動手段の判別ができなかった場合、表示制御処理部１１０Ｂは、図９のステップＳ９０２へ進む。移動手段の判別ができない場合とは、情報処理端末１００Ｂが車道及び線路以外の場所を移動している場合である。
【０１５０】
ステップＳ２３０３に続いて、表示制御処理部１１０Ｂは、領域決定テーブル１２１を参照し、ステップＳ２３０３で取得した速度の範囲と対応する取得対象領域を決定する（ステップＳ２３０４）。
【０１５１】
ステップＳ２３０５からステップＳ２３０７の処理は、図１９のステップＳ１９０５からステップＳ１９０７までの処理と同様であるから、説明を省略する。
【０１５２】
以上のように、本実施形態によれば、情報処理端末１００Ｂの移動手段と、速度に応じて取得対象領域を決定することできるため、移動手段と速度を含む情報処理端末１００Ｂの移動状態に応じたＡＲコンテンツを表示させることができる。
【０１５３】
また、上記各実施形態では、情報処理端末が取得したＡＲコンテンツ情報に含まれるオブジェクトデータを情報処理端末に表示させるものとしたが、これに限定されない。例えば、情報処理端末は、取得したオブジェクトデータを情報処理端末と通信可能なヘッドマウントディスプレイ等の端末に表示させても良い。
【０１５４】
開示の技術では、以下に記載する付記のような形態が考えられる。
（付記１）
検出された端末の位置情報及び向き情報に応じたエリアを特定し、
特定した前記エリアの内、前記端末の移動状態に応じた範囲を特定し、
特定した前記範囲に含まれる何れかの位置情報に対応づけて登録されたオブジェクトデータを表示する、
処理をコンピュータが実行することを特徴とする表示制御方法。
（付記２）
前記移動状態に応じた範囲は、前記端末から離間する方向における範囲である、
ことを特徴とする付記１に記載の表示制御方法。
（付記３）
前記移動状態が移動中である場合、前記範囲を、前記端末の移動方向に応じた範囲とする、付記１又は２に記載の表示制御方法。
（付記４）
前記範囲を、前記端末の移動方向の前方の範囲とする、付記３に記載の表示制御方法。
（付記５）
前記移動状態が静止中である場合、前記移動状態が移動中である場合よりも、前記範囲が広くなる制御を行う、ことを特徴とする付記１乃至４の何れかに記載の表示制御方法。
（付記６）
前記移動中の速度が速いほど、前記範囲が狭くなる制御を行う、ことを特徴とする付記５に記載の表示制御方法。
（付記７）
前記移動状態は、前記端末のユーザが利用する移動手段の種別である、ことを特徴とする付記１乃至６の何れかに記載の表示制御方法。
（付記８）
前記移動状態は、前記端末の速度である、ことを特徴とする付記１乃至６の何れかに記載の表示制御方法。
（付記９）
前記移動手段は、前記端末の位置情報の履歴と、地図情報とに応じて判別される、付記７記載の表示制御方法。
（付記１０）
前記移動手段は、前記端末の速度の履歴と、地図情報とに応じて判別される付記７又は９記載の表示制御方法。
（付記１１）
検出された端末の位置情報及び向き情報に応じたエリアを特定し、
特定した前記エリアの内、前記端末の移動状態に応じた範囲を特定し、
特定した前記範囲に含まれる何れかの位置情報に対応づけて登録されたオブジェクトデータを表示する、
処理をコンピュータが実行することを特徴とする表示制御プログラム。
（付記１２）
検出された位置情報及び向き情報に応じたエリアを特定する領域特定部と、
特定した前記エリアの内、移動状態に応じた範囲を特定する領域決定部と、
特定した前記範囲に含まれる何れかの位置情報に対応づけて登録されたオブジェクトデータを表示する表示処理部と、を有することを特徴とする情報処理端末。
【０１５５】
尚、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【０１５６】
１００          ：情報処理端末
１１０          ：表示制御処理部
１１１          ：撮像領域特定部
１１２          ：移動状態判定部
１１３          ：対象領域決定部
１１４          ：ＡＲコンテンツ取得部
１１５          ：表示処理部
２００          ：コンテンツ提供サーバ
３００          ：表示制御システム
【図１】
0006651719.tif 000002
【図２】
0006651719.tif 000003
【図３】
0006651719.tif 000004
【図４】
0006651719.tif 000005
【図５】
0006651719.tif 000006
【図６】
0006651719.tif 000007
【図７】
0006651719.tif 000008
【図８】
0006651719.tif 000009
【図９】
0006651719.tif 000010
【図１０】
0006651719.tif 000011
【図１１】
0006651719.tif 000012
【図１２】
0006651719.tif 000013
【図１３】
0006651719.tif 000014
【図１４】
0006651719.tif 000015
【図１５】
0006651719.tif 000016
【図１６】
0006651719.tif 000017
【図１７】
0006651719.tif 000018
【図１８】
0006651719.tif 000019
【図１９】
0006651719.tif 000020
【図２０】
0006651719.tif 000021
【図２１】
0006651719.tif 000022
【図２２】
0006651719.tif 000023
【図２３】
0006651719.tif 000024